(57)【特許請求の範囲】
【請求項１】
カウンターを構成する枠体の上端に取付けられる天板の構造であって、
前記天板は、長手方向に押し出し成形され上面が平坦な板状に一体成形体で構成され、前記枠体の幅より幅広であって前記流し台側に張り出して取付けられる側端部を下方に折曲して庇部を構成すると共に、その後方の底面に長手方向に延在させてその下端前方に係止部を有するリブを設け、該リブの背面が前記枠体の前面に当設して前記天板を位置決めするよう構成したことを特徴とするカウンターにおける天板構造。
【請求項２】
前記天板は、前方に形成されたリブの後方にあって、前記天板の底面に少なくとも２列の補助リブが長手方向に延在するよう配設され、前記それぞれの補助リブの端部に側板を取り付けるためのネジが螺着されるボス部が形成されて成り、前記補助リブが前記枠体上端に支持される脚部として構成されることを特徴とする請求項１に記載のカウンターにおける天板構造。
【請求項３】
前記ボス部は、薄板状に形成された補助リブの下端をカール状に形成し、その内周部を前記ネジの螺着部として成る請求項１に記載のカウンターにおける天板構造。
【発明の詳細な説明】
【０００１】
【発明の属する技術分野】
本発明は、カウンターにおける天板構造の改良に関する。
【０００２】
【従来の技術】
近年のシステムキッチン等ではカウンターを設けた流し台が多く使用されている。
【０００３】
このようなカウンターは、流し台の対面側に壁面が設置されている場合には食器等を載置する台として使用されるが、カウンター前面の流し台にはシンクやガス台等が配置されており、流し台上において調理作業を行う際には、特にシンク前方の流し台上面に洗剤等を収納した容器や真板、包丁等の各種調理用具が載置される。
【０００４】
【発明が解決しようとする課題】
このような調理作業においては、流し台上面に各種調理用具が載置されて作業空間が狭くなり、調理作業に支障を来し作業性を低下させる要因となっていた。
【０００５】
本発明はこのような問題点を解決するため、カウンターの天板前方の底面に長手方向に沿って係止部を延設させて一体成形されることにより、各種調理用具が収納される収納具が移動可能に係止され流し台における作業性を向上させることができるカウンターにおける天板構造を提供することを目的としている。
【０００６】
【課題を解決するための手段】
上記目的を達成するために、本発明のカウンターにおける天板構造は、カウンターを構成する枠体の上端に取付けられる天板の構造であって、前記天板は、長手方向に押し出し成形され上面が平坦な板状に一体成形体で構成され、前記枠体の幅より幅広であって前記流し台側に張り出して取付けられる側端部を下方に折曲して庇部を構成すると共に、その後方の底面に長手方向に延在させてその下端前方に係止部を有するリブを設け、該リブの背面が前記枠体の前面に当設して前記天板を位置決めするよう構成したことを特徴としている。
この特徴によれば、流し台側に張り出して取付けられる庇（ひさし）部後方の底面に押し出し成形により長手方向に延在させて下端前方に係止部を有するリブが形成されるので、このリブにより天板が補強されると共に、各種調理用具等を収納する収納具が長手方向に移動可能に係止することができ、流し台における作業性を向上させることができる。
さらに、天板が一体に押出し成形によって構成されているため、延在する係止部が長手方向に凹凸のない平坦面となり、収納具の移動をスムーズに行うことができる。
また、庇部後方の底面に前記リブに形成された係止部が配置されるので、前記係止部が庇部により隠蔽されるため外観が向上される。
【０００７】
本発明のカウンターにおける天板構造は、前記天板が、前方に形成されたリブの後方にあって、前記天板の底面に少なくとも２列の補助リブが長手方向に延在するよう配設され、前記それぞれの補助リブの端部に側板を取り付けるためのネジが螺着されるボス部が形成されて成り、前記補助リブが前記枠体上端に支持される脚部として構成されれば好ましい。
このようにすることにより、前記天板の底面に２列の補助リブが長手方向に延在するよう配置されるので、従来のように天板が厚板ではなく、押し出し成形により薄板状に形成されても天板面の剛性を得ることができ、補助リブの端部に側板を取り付けるためのネジを螺着するためのボス部が形成されるため、軽量化されても従来と同じかそれ以上の強度を得ることができる。
【０００８】
本発明のカウンターにおける天板構造は、前記ボス部が、薄板状に形成された補助リブの下端をカール状に形成し、その内周部を前記ネジの螺着部として成れば好ましい。
このようにすることにより、ネジを螺着するための穴を加工しないでも、リブの一部にカール状に形成された内周部をそのままネジの螺着部として形成することができる。
【０００９】
【発明の実施の形態】
以下、本発明の実施例を図面に基づいて説明する。図１は本発明の天板構造が採用されたカウンターを有する流し台の全体斜視図、図２はカウンターを構築する状態を示す説明図、カウンターに本発明の天板が取付けられた状態を示す側面断面図であり、図４は本発明の天板の係止部に各種調理用具が収納される収納具が移動可能に係止された状態を示す斜視図である。
【００１０】
図１は、カウンターが対面カウンターとして使用した状態を示しているが、本発明では流し台前面に壁面が存在する場合で、カウンターを壁面前面に載置台として使用される例として説明する。
【００１１】
図１において１は、本発明の天板を示し、天板１は、左右にガス台２及び前方に水道の蛇口３を有するシンク４が配設された流し台５の前面に立設して設置されたカウンター６の上端に取付けられる。
【００１２】
カウンター６は、端部に設置される縦長状の一対の側板７と、該一対の側板７の前後両側をそれぞれ接続すべく上下方向に所定間隔毎に配置された複数の横桟８ａ、８ｂ及び９ａ、９ｂとで横長の箱体状に構成される枠体１０と、この枠体１０の上端に取付けられる天板１と、枠体１０の流し台側前面に取付られる前面板１１とで基本的に構成される。
【００１３】
次に、本願発明の天板構造につき説明する。すなわち、天板１は、図２及び図３に示されるように、長手方向に押し出し成形されて上面が平坦な板状に一体成形体で構成され、枠体１０の幅より幅広であって流し台５側に張り出して取付けられる側端部を下方に折曲して庇部を構成すると共に、その後方の底面に長手方向に延在させてその下端前方に係止部１３を有するリブ１４を設け、該リブ１４の背面が枠体１０の前面上部に当設して天板１が位置決めするよう構成されている。
【００１４】
このように、カウンター６は箱状の枠体１０として構成れるので、内部に形成される空間部を有効に利用することができ、例えば水道管やガス管等が配管される際に箱体内に隠蔽されて周辺の外観が向上する。
【００１５】
更に詳しくは、天板１は、長手方向に押し出し成形され上面が平坦な板状に一体成形体で構成され、枠体１０の幅より幅広であって流し台５側に張り出して取付けられる前側端部を下方に折曲して庇部１２を構成すると共に、その後方の底面に長手方向に延在させてその下端部前方が上方に折曲された係止部１３を有するリブ１４を設け、該リブ１４の背面が枠体１０の前面に当設して天板１の幅方向の位置決めができるように構成されている。
【００１６】
さらに、前方に形成されたリブ１４の後方にあって、天板１の底面に少なくとも２列の補助リブ１５ａ、１５ｂの長手方向に延在するよう配設され、それぞれの補助リブ１５ａ、１５ｂの端部に側板１７を取り付けるためのネジ１８が螺着されるボス部１６ａ、１６ｂが形成されて成り、補助リブ１５ａ、１５ｂが枠体１０上端に支持される脚部として構成され、後方端部には、下方に折曲して補助リブ１５ａ、１５ｂと同一高さで長手方向に延設される折曲部１９が形成されている。
【００１７】
そして、ボス部１６ａ、１６ｂは、各補助リブ１５ａ、１５ｂが薄板状に形成されて、その下端をカール状に形成し、その内周部をネジ１８の螺着部として構成される。
【００１８】
次に、枠体１０の前方に取り付けられる上部横桟８ａの前面には上部先端が下向きに折曲された係止片を有する係止具２０ａ、２０ｂが横方向同一高さ位置に取り付けられている。
【００１９】
そして、この係止具２０ａ、２０ｂ係止されて取付られる前面板１１は、係止具２０ａ、２０ｂの係止片に係止すべく折曲された上端の対応位置に横長の係止長穴２１ａ、２１ｂが形成され、下端には横桟９ａ前面のねじ穴２３ａ、２３ｂに螺着されて取付るための貫通穴２２ａ、２２ｂが形成されている。
【００２０】
次に、図３及び図４に示されるように、天板１の１３を有するリブ１４下端に形成された係止部１３には、各種調理用具として例えば真板が収納保持されるフレーム状の収納具２４が、そのフック２５を介して天板１の長手方向に移動可能に係止される。
【００２１】
次に、本発明の天板構造が採用された天板をカウンターに取り付け手順につき説明する。すなわち、図２に示されるように、先ず、枠体１０の上端に天板１の補助リブ１５ａ、１５ｂを載せると共に、前方に形成されたリブ１４の背面を枠体１０の横桟８ａ前面上部に当設させ天板１の幅方向を位置決めする。
【００２２】
次に、天板１の端部に側板１７をあてがい、この側板１７にねじ１８を挿通させてボス部１６ａ、１６ｂに螺着させた上で、側板１７の下方に同様にねじ１８を挿通させて枠体１０の側板上方に形成されたねじ穴２６に螺着することにより、天板１が固定される。
【００２３】
次に、前面板１１は、枠体１０前方の上部横桟８ａに取付けられた係止具２０ａ、２０ｂの係止片に前面板１１上端の係止長穴２１ａ、２１ｂを係止して垂下されると共に、その下方に形成された貫通穴２２ａ、２２ｂにねじを挿通して螺着することにより枠体１０前面に固定される。
【００２４】
そして、天板１が枠体１０の上端に取付けられと、図３に示されるように、天板１のリブ１４前方に形成されたフック２５に各種調理用具として例えば真板が収納保持されるフレーム状の収納具２４が、そのフック２５を介して天板１の長手方向に移動可能に係止される。このようにして、本発明の天板構造が採用された天板を使用したカウンター６を構築することができる。
【００２５】
このようにすることによって、流し台５側に張り出して取付けられる庇（ひさし）部１２後方の底面に押し出し成形により長手方向に延在させて下端前方に係止部１３を有するリブ１４が形成されるので、このリブにより天板１が補強されると共に、各種調理用具等を収納する収納具２４が長手方向に移動可能に係止され流し台５における作業性を向上させることができる。
【００２６】
また、庇部１２後方の底面にリブ１４に形成された係止部１３が配置されるので、係止部１３が庇部１２により隠蔽されて外観が向上される。
【００２７】
さらに、天板１の底面に２列の補助リブ１５ａ、１５ｂが長手方向に延在するよう配置されるので、従来のように厚板ではなく、押し出し成形により薄板状に形成されても天板面の剛性を得ることができ、補助リブ１５ａ、１５ｂの端部に側板を取り付けるためのネジ１８を螺着するためのボス部１６ａ、１６ｂが形成されるため、軽量化されても従来と同じような強度を得ることができる。
【００２８】
そしてまた、ネジ１８を螺着するための穴を加工しないでも、前記補助リブ１５ａ、１５ｂの一部にカール状に形成された内周部をそのままネジの螺着部として形成することができる。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
【発明の効果】
本発明は次の効果を奏する。
【００３１】
（ａ）請求項１の発明によれば、流し台側に張り出して取付けられる庇（ひさし）部後方の底面に押し出し成形により長手方向に延在させて下端前方に係止部を有するリブが形成されるので、このリブにより天板が補強されると共に、各種調理用具等を収納する収納具が長手方向に移動可能に係止することができ、流し台における作業性を向上させることができる。
さらに、天板が一体に押出し成形によって構成されているため、延在する係止部が長手方向に凹凸のない平坦面となり、収納具の移動をスムーズに行うことができる。
また、庇部後方の底面に前記リブに形成された係止部が配置されるので、前記係止部が庇部により隠蔽されるため外観が向上される。
【００３２】
（ｂ）請求項２の発明によれば、前記天板の底面に２列の補助リブが長手方向に延在するよう配置されるので、従来のように天板が厚板ではなく、押し出し成形により薄板状に形成されても天板面の剛性を得ることができ、補助リブの端部に側板を取り付けるためのネジを螺着するためのボス部が形成されるため、軽量化されても従来と同じかそれ以上の強度を得ることができる。
【００３３】
（ｂ）請求項３の発明によれば、ネジを螺着するための穴を加工しないでも、リブの一部にカール状に形成された内周部をそのままネジの螺着部として形成することができる。
【００３４】
【図面の簡単な説明】
【図１】本発明の一実施形態としての天板構造が採用されたカウンターを有する流し台の全体斜視図である。
【図２】カウンターを構築する状態を示す説明図である。
【図３】カウンターに本発明の天板が取付けられた状態を示す側面断面図である。
【図４】本発明の天板の係止部に各種調理用具が収納される収納具が移動可能に係止された状態を示す斜視図である。
【符号の説明】
１              天板
２              ガス台
３              蛇口
４              シンク
５              流し台
６              カウンター
７              側板
８ａ、８ｂ      横桟
９ａ、９ｂ      横桟
１０            枠体
１１            前面板
１２            庇部
１３            係止部
１４            リブ
１５ａ、１５ｂ  補助リブ
１６ａ、１６ｂ  ボス部
１８            ネジ
２０ａ、２０ｂ  係止具
２１ａ、２１ｂ  係止長穴
２２ａ、２２ｂ  貫通穴
２３ａ、２３ｂ  ねじ穴
２４            収納具
２５            フック
【図１】
0003878313.tif 000002
【図２】
0003878313.tif 000003
【図３】
0003878313.tif 000004
【図４】
0003878313.tif 000005